(57)【要約】【課題】ウェッブコーナー型紙容器において、紙容器としての強度の低下を起こさずに使用後に減容化が可能な形態のウェッブコーナー型紙容器を提供することを目的とするものである。【解決手段】本発明は、主に板紙を材料とし、四角形状の底板の前後辺に対向する前後側板を連設し、底板の左右辺に対向する左右側板を連設し、前後側板の両側辺に連設された折り込み片と左右側板の両側辺に連設された折り込み片の隣接する折り込み片同士が底板の４隅から放射状に外方向に伸びる折れ線を介して連結されてウェッブコーナー部を形成し、該ウェッブコーナー部において折れ線から一方側の折り込み片に切り込みによる摘み片を設けたブランクを、ウェッブコーナー部を折れ線で外側に折り込み、摘み片を折り込み片から一部切り抜いて折れ線で外側に折り曲げ、摘み片を切り抜いた折り込み片の部分を側板の外側に貼り合せてウェッブコーナー部を側板に固定して組み立ててなることを特徴とするウェッブコーナー型紙容器である。【選択図】図１
2004051157.tif 000002
【特許請求の範囲】
【請求項１】
板紙あるいは板紙にプラスチックフィルムを貼合した積層体を材料とし、四角形状の底板の前後辺に対向する前後側板を連設し、前記底板の左右辺に対向する左右側板を連設し、前記前後側板の両側辺に連設された折り込み片と前記左右側板の両側辺に連設された折り込み片の隣接する前記折り込み片同士が前記底板の４隅から放射状に外方向に伸びる折れ線を介して連結されてウェッブコーナー部を形成し、該ウェッブコーナー部において前記折れ線から一方側の前記折り込み片に切り込みによる摘み片を設けたブランクを、前記ウェッブコーナー部を前記折れ線で外側に折り込み、前記摘み片を前記折り込み片から一部切り抜いて前記折れ線で外側に折り曲げ、前記摘み片を切り抜いた前記折り込み片の部分を前記側板の外側に貼り合せて前記ウェッブコーナー部を前記側板に固定して組み立ててなることを特徴とするウェッブコーナー型紙容器。
【発明の詳細な説明】
【０００１】
【発明の属する技術分野】
本発明は、液漏れ防止機能のあるウェッブコーナー型紙容器に関するものであり、詳しくは、減容化が可能なウェッブコーナー型紙容器に関するものである。
【０００２】
【従来の技術】
従来、揚げたてのフライドチキン等、たれ、肉汁、ソース類等を伴う調理食品、冷凍食品等の紙容器には、四隅からの油、調味料、肉汁等の液漏れを防止するように四隅を４隅を外側に折り込んだウェッブ（みずかき）コーナー型の紙容器が使用されている。このウェッブコーナー型紙容器では、４隅を外側に折り込んだウェッブコーナー部は、紙容器の側板の外側に貼り合わされて固定されている。
【０００３】
また、近年、環境問題が大きな問題となっており、自然環境を守ろうとする意識が高まっている。特に、廃棄物の処理の問題は大きく、出来るだけ材料を少なく使用する省資源化、そして資源の再使用であるリサイクル等での対応が、求められている。このような背景のもとに、包装に使用される容器を廃棄する時には出来るだけ容積を少なくすることも望まれている。
【０００４】
【発明が解決しようとする課題】
しかしながら、従来のウェッブコーナー型紙容器では、使用した後に紙容器の側板の外側に貼り合わされて固定されているウェッブコーナー部が剥がしにくく、解体して減容化することが難しいという問題がある。
【０００５】
本発明は、ウェッブコーナー型紙容器において、紙容器としての強度の低下を起こさずに使用後に減容化が可能な形態のウェッブコーナー型紙容器を提供することを目的とするものである。
【０００６】
【課題を解決するための手段】
前記課題を解決するためになされた本発明は、　板紙あるいは板紙にプラスチックフィルムを貼合した積層体を材料とし、四角形状の底板の前後辺に対向する前後側板を連設し、前記底板の左右辺に対向する左右側板を連設し、前記前後側板の両側辺に連設された折り込み片と前記左右側板の両側辺に連設された折り込み片の隣接する前記折り込み片同士が前記底板の４隅から放射状に外方向に伸びる折れ線を介して連結されてウェッブコーナー部を形成し、該ウェッブコーナー部において前記折れ線から一方側の前記折り込み片に切り込みによる摘み片を設けたブランクを、前記ウェッブコーナー部を前記折れ線で外側に折り込み、前記摘み片を前記折り込み片から一部切り抜いて前記折れ線で外側に折り曲げ、前記摘み片を切り抜いた前記折り込み片の部分を前記側板の外側に貼り合せて前記ウェッブコーナー部を前記側板に固定して組み立ててなることを特徴とするウェッブコーナー型紙容器である。
【０００７】
本発明によれば、ウェッブコーナー型紙容器において、側板の外側に貼り合わされたウェッブコーナー部に摘み片を設けることにより、紙容器としての強度の低下を起こさずに使用後にウェッブコーナー部をこの摘み片を取っ掛かりとして側板から容易に剥がすことができ、元の平面状にすることにより、減容化が可能な形態のウェッブコーナー型紙容器を得ることができるものである。
【０００８】
【発明の実施の形態】
以下、本発明のウェッブコーナー型紙容器の実施の形態について、図面に基づいて詳細に説明する。図１は、本発明のウェッブコーナー型紙容器の実施の形態の一実施例を示す斜視図であり、図２は、本発明のウェッブコーナー型紙容器の実施の形態の一実施例のブランクを示す展開図であり、図３は、本発明のウェッブコーナー型紙容器の実施の形態の一実施例の組み立て工程を説明する部分拡大図であり、そして、図４は、本発明のウェッブコーナー型紙容器の実施の形態の一実施例の減容化を説明する部分拡大図である。図中のＡは本発明のウェッブコーナー型紙容器、１０はブランク、１１は底板、１２は側板（上下）、１３は側板（左右）、１４は折り込み片、１５は折り込み片、１６は蓋板、１７は差し込み片、１８は舌片、ａ〜ｈは折れ線、ｔは切り込み、Ｗはウェッブコーナー部、Ｔは摘み片をそれぞれ示している。
【０００９】
図１は、本発明によるウェッブコーナー型紙容器の実施の形態の一実施例を示す斜視図である。本発明によるウェッブコーナー型紙容器Ａは、図１に示すように、外見は、概ね通常のウェッブコーナー型紙容器と同様であり、矩形の底板１１の各辺から側板１２、１２、１３、１３が起立し、隣接した側板同士をウェッブコーナー部Ｗで連結し、そのウェッブコーナー部Ｗを外側に折り込んで一方側（本実施例では側板１３の側）に折り曲げ、側板１３、１３の外側に貼り合せて固定している。また、一側板１２の上辺には蓋板１６および差し込み片１７を連設し、他の一対の側板１３、１３にはそれぞれ舌片１８、１８を設けている。
【００１０】
さらに、本発明によるウェッブコーナー型紙容器Ａでは、ウェッブコーナー部Ｗの折り曲げた稜線（折れ線ｅ）から摘み片Ｔを設けている。この摘み片Ｔは側板１２と貼り合せていないので指で摘むことができ、この摘み片Ｔを取っ掛かりとして側板１３に貼り合わされたウェッブコーナー部Ｗを容易に引き剥がすことができる。
【００１１】
図２は、本発明のウェッブコーナー型紙容器のブランクを示す展開図である。ブランク１０は、矩形の底板１１の上下の対向する辺に折れ線ａ、ａを介して側板１２、１２を設け、左右の対向する辺に折れ線ｂ、ｂを介して側板１３、１３を設けている。側板１２、１２の両側辺には折れ線ｃ、ｃ、ｃ、ｃを介してそれぞれ三角形の折り込み片１４、１４、１４、１４を連設し、側板１３、１３の両側辺には折れ線ｄ、ｄ、ｄ、ｄを介してそれぞれ三角形の折り込み片１５、１５、１５、１５を連設し、隣接する折り込み片同士を折れ線ｅで連設し、この折り込み片同士を連接した部分をウェッブコーナー部Ｗとしている。また、一側板１２の上辺には折れ線ｆを介して蓋板１６を連設し、その蓋板１６の上辺には折れ線ｇを介して差し込み片１７を連設し、他の一対の側板１３、１３の外側の辺には折れ線ｈ、ｈを介してそれぞれ舌片１８、１８を連設している。
【００１２】
さらに、本発明によるウェッブコーナー型紙容器Ａでは、このウェッブコーナー部Ｗに、折れ線ｅから一方の折り込み片１５に向かって略半円形に切り込みｔが入れられ、摘み片Ｔが設けられている。この摘み片Ｔは折り込み片１４の側に設けてもよく、折り込んだウェッブコーナー部Ｗを側板に貼り合せる側の折り込み片に設ける。また、摘み片Ｔの形状は、半円形に限定されるものではなく、半長円形、三角形、四辺形等でもよい。
【００１３】
また、本実施例のウェッブコーナー型紙容器Ａは、側板１２、１３の形状が上辺が広い台形としたトレー形状の紙容器であるが、側板を長方形として直方体の紙容器としてもよい。
【００１４】
また、本実施例のウェッブコーナー型紙容器Ａでは、一側板１２の上辺に蓋板１６を設けているが、蓋板のない形状であってもよい。
【００１５】
本発明によるウェッブコーナー型紙容器Ａの材料は主に板紙が使用され、その範囲は広く、コートボール、マニラボール、ミルクカートン原紙、カップ原紙、段ボール等を使用することができる。坪量は紙容器のサイズによって変わるが、１５０〜４５０ｇ／ｍ２の範囲が好ましい。
【００１６】
また、内容物によっては、樹脂含侵による耐油紙、あるいは水性の内容物からの侵出物を遮断するプラスチックフィルムを内面に貼り合せることが効果的である。プラスチックフィルムとしては、ポリエチレンフィルム、ポリプロピレンフィルム、ポリエステルフィルム、ポリアミドフィルム等を使用することができ、また、生分解性プラスチックフィルム（ポリ乳酸、ポリヒドロキシブチレート、ポリラクトカプトン、ポリブチレンサクシレート、ポリエチレンサクシネート、ポリビニルアルコール、酢酸セルロース等）も使用することができる。フィルムの選定に当たっては、公知の厚生省告示２０号告示に適合したフィルムを使用することが好ましい。
【００１７】
このプラスチックフィルムの貼り合わせは、環境対応の観点から、使用後に剥がして分離することができることが好ましく、そのためには、一つには、剥離可能な接着剤を使用して剥離可能に貼合する方法、もう一つには、熱シール、あるいは、公知のエマルジョン型、溶剤型、ホットメルト型の接着剤、粘着剤を使用して部分的に貼合する方法がある。
【００１８】
また、一般の紙容器と同様に、本発明のウェッブコーナー型Ａの表面には印刷が行われるが、オフセット、グラビア、フレキソ印刷等これまでに知られているいかなる方法を用いてもよい。さらにオーバーコート、艶出し、エンボス等の後加工も自由に行うことができる。ただし、ウェッブコーナー部Ｗを貼り合せる部分はオーバーコート層等を除くことが好ましい。
【００１９】
つぎに、本発明のウェッブコーナー型紙容器Ａを作製する工程を説明する。この工程は、一般的なウェッブコーナー型紙容器を成形する工程と略同様であり、まず、表面に印刷、表面加工等を施した紙、あるいは紙を主体とした積層体を打ち抜いて、図２に示すようなブランク１０を作製する。この打ち抜きの工程で、折れ線ａ〜ｈおよび切り込みｔも同時に加工する。
【００２０】
ついで、図３−ａに示すように、各ウェッブコーナー部Ｗを折れ線ｅで外側に折り込み、同時に、図３−ｂに示すように、一方の折り込み片１５に設けられた摘み片Ｔを外側に折り曲げる。このウェッブコーナー部Ｗを側板１３の側に折り曲げて、図３−ｃに示すように、折り込み片１５を側板１３の外側に貼り合せる。この貼り合わせは、例えば、エマルジョン型接着剤、ホットメルト型接着剤等の周知の接着剤を使用して行うことができる。その時、摘み片Ｔは、側板１３に貼り合わせない。このように、摘み片Ｔを貼り合わせない状態で、各ウェッブコーナー部Ｗを側板１３、１３の外側に貼り合わせて固定して、ウェッブコーナー型紙容器Ａを形成する。
【００２１】
このようにして作製した本発明によるウェッブコーナー型紙容器Ａは、使用後、貼り合わされた各ウェッブコーナーＷに設けた摘み片Ｔを、図４−ａに示すように、指で摘んで引っ張り、図４−ｂに示すように、側板１３、１３から剥がすことにより、図４−ｃに示すように、元の平面状のブランク１０に戻すことができ、減容化ができる。この平面状にすることによって、大量に積み重ねることができ、廃棄が容易となる。また、内面に貼り合わされたフィルムが剥がしやすくなる。
【００２２】
【実施例】
つぎに、本発明のウェッブコーナー型紙容器について、以下に実施例をあげてさらに説明する。
【００２３】
基材となる板紙として、厚さ０．５ｍｍの再生ミルクカートン原紙（ミルパックス：パックス（株）製）を使用し、表面に所望の絵柄、表示等をフレキソ印刷にて印刷した後に、裏面にパターン状にグラビアコートによりエマルジョン型の接着剤をコートし、フィルム貼り機により３０のポリプロピレンフィルム（パイレンＰＡ：トーセロ化学（株）製）を貼合して積層体を作製した。この積層体を打ち抜き工程で図２の展開図に示すブランク１０に打ち抜いた。このブランク１０を成形貼り機により成形して図１に示す本発明のウェッブコーナー型紙容器Ａを作製した。
【００２４】
実際に内容物を入れて使用した後に、側板１３の外側に貼り合わされたウェッブコーナー部Ｗを摘み片Ｔにより容易に側板１３から引き剥がすことができ、平面状のブランク１０に戻すことができた。さらに、平面状にすることにより、部分的に貼り合せた内面のフィルムも容易に剥がすことができた。
【００２５】
【発明の効果】
本発明によれば、ウェッブコーナー型紙容器において、紙容器としての強度の低下を起こさない形態であって、側板の外側に貼り合わされたウェッブコーナー部に摘み片を設けることにより、使用後にウェッブコーナー部をこの摘み片を取っ掛かりとして側板から容易に剥がすことができ、元の平面状のブランクに戻すことができるため、減容化することになるという効果を有する。また、平面状のブランクに戻すことができることによって、ブランクの内面に貼り合わせているプラスチックフィルムを剥がすことが可能となるという効果も有するものである。
【図面の簡単な説明】
【図１】本発明のウェッブコーナー型紙容器の一実施例を示す斜視図である。
【図２】本発明のウェッブコーナー型紙容器の一実施例のブランクを示す展開図である。
【図３】本発明のウェッブコーナー型紙容器の実施の形態の一実施例の組み立て工程を説明する部分拡大図である。
【図４】本発明のウェッブコーナー型紙容器の実施の形態の一実施例の減容化を説明する部分拡大図である。
【符号の説明】
Ａ　　本発明のウェッブコーナー型紙容器
１０　　ブランク
１１　　底板
１２　　側板（上下）
１３　　側板（左右）
１４　　折り込み片
１５　　折り込み片
１６　　蓋板
１７　　差し込み片
１８　　舌片
ａ〜ｈ　折れ線
ｔ　　切り込み
Ｗ　　ウェッブコーナー部
Ｔ　　摘み片
【図１】
2004051157.tif 000003
【図２】
2004051157.tif 000004
【図３】
2004051157.tif 000005
【図４】
2004051157.tif 000006